(57)【要約】【課題】バッテリポストに対して密着性を向上させることが可能なバッテリ端子を提供する。【解決手段】周方向の一部が開放された形態をなすとともに径方向の外側に向かって突出した形態の鍔部４２を有する締結部１１と、前記締結部１１の開放端部１３から径方向の外方に突出して前記周方向に対向配置された一対の対向部１４と、を有し、前記一対の対向部１４が接近することで前記締結部１１が縮径してバッテリポストＰに締め付けられるものであり、前記締結部１１の鍔部４２に、前記締結部１１の径方向の厚さ寸法を部分的に小さくする切欠き部２０が設けられている。【選択図】図３
2017134958.tif 000002
【特許請求の範囲】
【請求項１】
周方向の一部が開放された形態をなすとともに径方向の外側に向かって突出した形態の鍔部を有する締結部と、
前記締結部の開放端部から径方向の外方に突出して前記周方向に対向配置された一対の対向部と、を有し、
前記一対の対向部が接近することで前記締結部が縮径してバッテリポストに締め付けられるものであり、
前記締結部の鍔部に、前記締結部の径方向の厚さ寸法を部分的に小さくする切欠き部が設けられているバッテリ端子。
【請求項２】
電線が接続される電線接続部と、
前記電線接続部と前記締結部とを連結する連結部と、を有し、
前記切欠き部が、前記締結部のうち前記連結部に連なる基端部に形成されている請求項１に記載のバッテリ端子。
【請求項３】
前記切欠き部が、前記基端部と前記開放端部との間の中間部に設けられている請求項１または請求項２に記載のバッテリ端子。
【請求項４】
前記切欠き部が、前記締結部の外周面側を凹ませたものである請求項１ないし請求項３のいずれか一項に記載のバッテリ端子。
【請求項５】
電線が接続される電線接続部と、
前記電線接続部と前記締結部とを連結する連結部と、を有し、
前記切欠き部が、前記締結部のうち前記連結部に連なる基端部、および前記基端部と前記開放端部との間の中間部に形成されており、
前記基端部に形成された前記切欠き部における前記締結部の厚さ寸法が、前記中間部に形成された前記切欠き部における前記締結部の厚さ寸法よりも小さくされている請求項１ないし請求項４のいずれか一項に記載のバッテリ端子。
【請求項６】
前記開放端部と前記基端部とが、前記締結部の中心軸を間にして反対の位置に配されており、
前記切欠き部が、前記開放端部と前記基端部との対向方向に対して直交する方向に対称に形成されている請求項１ないし請求項５のいずれか一項に記載のバッテリ端子。
【発明の詳細な説明】
【技術分野】
【０００１】
本発明は、バッテリ端子に関する。
【背景技術】
【０００２】
従来、自動車などのバッテリに接続されるバッテリ端子が知られている（例えば下記特許文献１に記載）。バッテリ端子は、バッテリに立設されたバッテリポストに締め付けられる締結部を有している。締結部は、周方向の一部が開放された筒状をなし、開放端部に設けられた一対の対向部が接近することで縮径変形し、バッテリポストに締め付けられる。一対の対向部は、ボルトとナットとを締め付けることにより接近する。
【先行技術文献】
【特許文献】
【０００３】
【特許文献１】特開２０１０−３３７８３号公報
【発明の概要】
【発明が解決しようとする課題】
【０００４】
しかしながら、上記のようなバッテリ端子の締結部は、比較的剛性が高いので、全体がバッテリポストの外形に沿うように縮径し難い。このため、締結部とバッテリポストとの間に隙間が生じ、保持力を十分に高められない虞がある。また、締結部の開放端部とバッテリポストとの間に隙間が生じると、強い締め付け力によって開放端部が隙間に折れ込むように変形してしまう虞がある。締結部の開放端部が変形すると、メンテナンス等のためにバッテリ端子をバッテリポストに再締結する際に、締結部を十分に締付けることができず、保持力が低下する虞がある。
【０００５】
本発明は上記のような事情に基づいて完成されたものであって、バッテリポストに対して密着性を向上させることが可能なバッテリ端子を提供することを目的とする。
【課題を解決するための手段】
【０００６】
本発明のバッテリ端子は、周方向の一部が開放された形態をなすとともに径方向の外側に向かって突出した形態の鍔部を有する締結部と、前記締結部の開放端部から径方向の外方に突出して前記周方向に対向配置された一対の対向部と、を有し、前記一対の対向部が接近することで前記締結部が縮径してバッテリポストに締め付けられるものであり、前記締結部の鍔部に、前記締結部の径方向の厚さ寸法を部分的に小さくする切欠き部が設けられている。
【発明の効果】
【０００７】
本発明によれば、切欠き部によって締結部がバッテリポストの外形に沿うように変形しやすくなるから、バッテリポストに対して密着性を向上させることができる。
【図面の簡単な説明】
【０００８】
【図１】実施例１におけるバッテリ端子を示す分解斜視図
【図２】バッテリ端子を示す斜視図
【図３】バッテリ端子を示す平面図
【図４】バッテリ端子を示す正面図
【図５】締結部が変形していない状態を表すバッテリ端子の平面図
【図６】締結部が変形した状態を表すバッテリ端子の平面図
【図７】バッテリポストに接続された状態のバッテリ端子を示す正面図
【図８】バッテリポストに接続された状態のバッテリ端子を示す断面図
【図９】実施例２におけるバッテリ端子の切欠き部を示す平面図
【図１０】他の実施例（４）におけるバッテリ端子の切欠き部を示す平面図
【図１１】他の実施例（５）におけるバッテリ端子の切欠き部を示す平面図
【図１２】他の実施例（６）におけるバッテリ端子の切欠き部を示す平面図
【図１３】他の実施例（７）におけるバッテリ端子の切欠き部を示す平面図
【図１４】他の実施例（８）におけるバッテリ端子の切欠き部を示す平面図
【発明を実施するための形態】
【０００９】
本発明の好ましい形態を以下に示す。
本発明のバッテリ端子は、電線が接続される電線接続部と、前記電線接続部と前記締結部とを連結する連結部と、を有し、前記切欠き部が、前記締結部のうち前記連結部に連なる基端部に形成されているものとしてもよい。このような構成によれば、締結部において比較的剛性が高い基端部が変形しやすくなるから、バッテリポストに対して密着性を向上させることができる。
【００１０】
また、本発明のバッテリ端子は、前記切欠き部が、前記基端部と前記開放端部との間の中間部に設けられているものとしてもよい。このような構成によれば、締結部の中間部が変形しやすくなるから、バッテリポストに対して密着性を向上させることができる。
【００１１】
また、本発明のバッテリ端子は、前記切欠き部が、前記締結部の外周面側を凹ませたものとしてもよい。このような構成によれば、締結部の内周面を、凹凸のない平坦な面とすることができる。
【００１２】
また、本発明のバッテリ端子は、電線が接続される電線接続部と、前記電線接続部と前記締結部とを連結する連結部と、を有し、前記切欠き部が、前記締結部のうち前記連結部に連なる基端部、および前記基端部と前記開放端部との間の中間部に形成されており、前記基端部に形成された前記切欠き部における前記締結部の厚さ寸法が、前記中間部に形成された前記切欠き部における前記締結部の厚さ寸法よりも小さくされているものとしてもよい。
このような構成によれば、締結部のうち比較的剛性が高い基端部の切欠き部における厚さ寸法を、中間部に形成された切欠き部における厚さ寸法よりも小さくすることで、締結部の全体をバランスよく変形しやすくすることができる。
【００１３】
また、本発明のバッテリ端子は、前記開放端部と前記基端部とが、前記締結部の中心軸を間にして反対の位置に配されており、前記切欠き部が、前記開放端部と前記基端部との対向方向に対して直交する方向に対称に形成されているものとしてもよい。このような構成によれば、締結部の全体をバランスよく変形しやすくすることができる。
【００１４】
＜実施例１＞
以下、本発明を具体化した実施例１について、図１〜図８を参照しつつ詳細に説明する。
本実施例におけるバッテリ端子は、自動車などのバッテリに立設されたバッテリポストＰに接続されるものである。バッテリポストＰは、バッテリ本体の上面から突出する円錐台形状をなしている。以下、各構成部材において、図１の上側を上方、下側を下方、図３の上側を右方、下側を左方、また、図３の左側を前方、右側を後方として説明する。
【００１５】
バッテリ端子は、端子本体部１０と、端子本体部１０とは別体に成形されたカム板部５０と、ボルト６１およびナット６２を有する締め付け具６０と、を備えている。ボルト６１は、方形状をなす頭部６３と、雄ネジ部６４とを有している。ナット６２は、六角ナット６２であり、雄ネジ部６４にねじ込まれる。
【００１６】
端子本体部１０は、バッテリポストＰに締め付けられる締結部１１と、図示しない電線が接続される電線接続部１２とを一体に備えている。締結部１１は、周方向の一部が開放された略円形状をなし、バッテリポストＰを左右両側から挟むようにして略全周を包囲する。締結部１１の開放端部１３には、径方向の外方に突出して周方向に対向配置された一対の対向部１４が設けられている。締結部１１は、一対の対向部１４が接近することで縮径してバッテリポストＰに締め付けられる。締結部１１には、複数の切欠き部２０が設けられている。切欠き部２０については、後ほど詳しく説明する。
【００１７】
電線接続部１２は、端子本体部１０に形成された箱部１５に、スタッドボルト１６が立設されたものであり、電線の端末部に接続された端子金具Ｔが接続される。端子金具Ｔは、図８に示すように、図示しない貫通孔にスタッドボルト１６を通して箱部１５の上面に載せられ、その上側に図示しない固定ナットが締め付けられることにより、箱部１５に押し付けられて固定される。
【００１８】
端子本体部１０は、締結部１１と電線接続部１２とを連結する連結部１７を有している。締結部１１の開放端部１３と締結部１１のうち連結部１７に連なる基端部１８とは、締結部１１の中心軸を間にして反対の位置に配されている。言い換えると、一対の対向部１４、締結部１１、連結部１７および電線接続部１２が直線状に並んだ配置となっている。
【００１９】
端子本体部１０は、ロア部材３０とアッパ部材４０とを上下方向に重ねて組み付けたものである。
ロア部材３０は、所定形状に打ち抜かれた金属製（例えば、鉄）の板材に、曲げ加工等を施すことによって所定形状に成形されたものである。
ロア部材３０は、平面視円形をなす環状部３１を有している。環状部３１は、バッテリポストＰの最大外径（下端における外径）とほぼ同じか若干大きい寸法に設定されている。
【００２０】
環状部３１の前側には、ボルト６１の頭部６３が嵌め込まれる嵌込部３２が設けられている。嵌込部３２は、ボルト６１の頭部６３を回り止め可能な略方形の箱型をなしている。嵌込部３２の上面には、ボルト６１の雄ネジ部６４を上下方向に貫通可能な貫通孔３３が形成されている。ボルト６１の頭部６３は、嵌込部３２に下方から嵌め込まれ、雄ネジ部６４は、嵌込部３２の上方に突出した状態になる。
【００２１】
ロア部材３０は、後述するカム板部５０の左右両側に位置してカム板部５０の傾きを抑制する傾き抑制部３４を有している。傾き抑制部３４は、嵌込部３２の左右両側に設けられている。
【００２２】
ロア部材３０は、後述するアッパ部材４０の鍔部４２の上側に係止して、アッパ部材４０とロア部材３０とが上下方向に離間することを抑制する離間抑制部３５を有している。離間抑制部３５は、傾き抑制部３４の後方に設けられている。
【００２３】
ロア部材３０は、アッパ部材４０と上下方向に重なって結合される結合部３６を有している。結合部３６は、環状部３１の後端部に設けられ、環状部３１よりも一段上側に位置している。結合部３６の前端は、環状部３１の後端縁から略垂直に立ち上がる立上部３７に連なっている。結合部３６の後端には、左右方向に突出する突部３８が設けられている。
【００２４】
アッパ部材４０は、所定形状に打ち抜かれた金属製（例えば、銅）の板材に、曲げ加工等を施すことによって所定形状に成形されたものである。
アッパ部材４０には、締結部１１が設けられている。締結部１１は、バッテリポストＰの外周面に沿って略垂直に立ち上がる筒部４１と、筒部４１の下端から外側に向かって略水平に突出した形態の鍔部４２とを有している。筒部４１は、バーリング加工によって形成され、鍔部４２の内周縁から上方へ立ち上がった形態をなしている。筒部４１の内周面は、凹凸のない平坦な面とされている。筒部４１は、環状部３１の上側に、ほぼ同軸状の位置関係で離間して配されている。また、鍔部４２の前端部は、離間抑制部３５の下面に対し接触又は僅かに隙間を空けて対向して配されている。締結部１１は、鍔部４２の板面方向に変形する。
【００２５】
アッパ部材４０には、一対の対向部１４が設けられている。一対の対向部１４は、鍔部４２から前方に水平に延びた形態をなしている。一対の対向部１４は、いずれも対向方向と反対側において折り返された板材が上面側に重ねられて補強されている。一対の対向部１４は、ロア部材３０の嵌込部３２の上面に重ねられている。
【００２６】
一対の対向部１４の対向面には、ボルト６１の雄ネジ部６４と接触しないように逃げ凹部４３が形成されている。また、一対の対向部１４の外側面（対向面と反対側の面）は、後述するカム板部５０が接触する接触面４４とされている。接触面４４は、板材の折り返し部であって滑らかに湾曲した形状の湾曲面である。
【００２７】
アッパ部材４０には、電線接続部１２が設けられており、電線接続部１２と締結部１１とを連結する連結部１７は、電線接続部１２の箱部１５の上面と締結部１１の鍔部４２とを連結する水平な板状をなしている。
【００２８】
連結部１７には、アッパ部材４０とロア部材３０とを一体に結合するためのかしめ片４５が設けられている。かしめ片４５は、連結部１７の左右両側縁から下方へ延出した形態をなしている。かしめ片４５は、連結部１７の前後方向における中間部に設けられている。
【００２９】
連結部１７は、ロア部材３０の結合部３６の上面に重ね合わせられ、一対のかしめ片４５は、結合部３６の下面に密着するようにかしめ付けられている。これにより、ロア部材３０とアッパ部材４０とは、上下方向及び左右方向への相対変位を規制された状態となる。また、かしめ片４５は、ロア部材３０の立上部３７と突部３８との間に位置している。これにより、ロア部材３０とアッパ部材４０とは、前後方向への相対変位を規制された状態となる。
【００３０】
連結部１７の前端部（かしめ片４５の前側）の左右両側には、図３に示すように、切欠凹部４６が形成されている。切欠凹部４６は、方形状をなして連結部１７の左右両端から中央側に凹んでいる。切欠凹部４６は、前後方向に平行な縦縁部４７と左右方向に平行な横縁部４８とを有している。
【００３１】
カム板部５０は、ロア部材３０及びアッパ部材４０よりも板厚寸法の大きい金属板材に曲げ加工等を施して所定形状に成形されたものである。カム板部５０は、図４に示すように、左右対称な形状であり、一対の対向部１４に跨って略水平に渡される水平部５１と、水平部５１の左右両端縁から斜め外側に傾斜している一対の傾斜部５２とを備えている。
【００３２】
水平部５１には、ボルト６１の雄ネジ部６４を上下方向に挿通可能な挿通孔５３が形成されている。左右両傾斜部５２は、水平部５１から離れるほど左右方向の間隔が拡がるような向きに傾斜している。カム板部５０は、締め付け具６０を締め付ける前の状態では、図４に示すように、傾斜部５２の下端部が一対の対向部１４の接触面４４に当接している。カム板部５０の挿通孔５３には雄ネジ部６４が挿通され、カム板部５０の上方において雄ネジ部６４にナット６２がねじ込まれている。カム板部５０は、締め付け具６０によって締め付けられることにより、下方に変位するようになっている。左右両傾斜部５２の内面は、カム板部５０の変位に伴って対向部１４の接触面４４を内方向（一対の対向部１４が接近する方向）に押圧可能な押圧面５４となっている。
【００３３】
さて、締結部１１には、図３に示すように、締結部１１の径方向の厚さ寸法を部分的に小さくする切欠き部２０が設けられている。切欠き部２０は、締結部１１の外周面側を凹ませたものである。切欠き部２０は、締結部１１の鍔部４２に形成されている。切欠き部２０は、鍔部４２の外縁部を部分的に切り欠いた形態をなしている。
【００３４】
切欠き部２０は、締結部１１の基端部１８と、基端部１８と開放端部１３との間の中間部とに設けられている。
基端部１８に設けられた切欠き部２０（以後、基端切欠き部２０Ａと称する）は、基端部１８の左右両側に設けられている。左右の基端切欠き部２０Ａは、締結部１１の左右方向における中心を基準として対称となっている。
【００３５】
基端切欠き部２０Ａは、前後方向に延びる基端縦縁部２１と、左右方向に延びる基端横縁部２２と、基端縦縁部２１と基端横縁部２２との間に湾曲して連なる基端湾曲縁部２３とを有している。基端縦縁部２１は、前後方向に平行をなし、基端横縁部２２は、左右方向に平行をなしている。
【００３６】
基端切欠き部２０Ａは、連結部１７の切欠凹部４６の前方に連なって形成されている。基端切欠き部２０Ａの基端縦縁部２１と切欠凹部４６の縦縁部４７とは、直線状をなして連なっている。
【００３７】
中間部に設けられた切欠き部２０（以後、中間切欠き部２０Ｂと称する）は、開放端部１３と基端部１８との間の真ん中あたりに設けられている。中間切欠き部２０Ｂは、締結部１１の左右両側に設けられ、締結部１１の左右方向における中心を基準として対称となっている。
【００３８】
中間切欠き部２０Ｂは、前後方向に若干長い方形状をなしている。中間切欠き部２０Ｂは、前後方向に延びる中間縦縁部２４と、左右方向に延びる前後一対の中間横縁部２５とを有している。中間縦縁部２４は、前後方向に平行をなし、中間横縁部２５は、左右方向に平行をなしている。
【００３９】
基端切欠き部２０Ａにおける締結部１１の厚さ寸法Ｔ１は、中間切欠き部２０Ｂにおける締結部１１の厚さ寸法Ｔ２と同等とされている。基端切欠き部２０Ａにおける締結部１１の厚さ寸法Ｔ１は、基端湾曲縁部２３から締結部１１の内周面（筒部４１の内周面）までの締結部１１の径方向の寸法であり、中間切欠き部２０Ｂにおける締結部１１の厚さ寸法Ｔ２は、中間縦縁部２４から締結部１１の内周面までの締結部１１の径方向の寸法である。基端切欠き部２０Ａにおける締結部１１の厚さ寸法Ｔ１および中間切欠き部２０Ｂにおける締結部１１の厚さ寸法Ｔ２はいずれも、締結部１１のうち切欠き部２０が設けられていない部分の厚さ寸法の半分よりも若干大きい寸法とされている。
【００４０】
すべての切欠き部２０は、左右方向（開放端部１３と基端部１８との対向方向に対して直交する方向）に対称に形成されている。なお、端子本体部１０は、切欠き部２０のみならず、一対の対向部１４、連結部１７および電線接続部１２を含む全体が左右対称に形成されている。
【００４１】
次に、本実施例におけるバッテリ端子をバッテリポストＰに接続する作業の一例を説明する。
まず、バッテリ端子の締結部１１をバッテリポストＰに嵌合する。締結部１１は、バッテリポストＰの周りに若干の隙間を持って外嵌される。
【００４２】
次に、締め付け具６０を締め付ける。工具を用いてナット６２をボルト６１の軸周りに回転させると、ナット６２が雄ネジ部６４に対して相対的に下側（頭部６３に接近する側）に変位する。ナット６２に押圧されたカム板部５０は徐々に下がり、カム板部５０の一対の押圧面５４が対向部１４の一対の接触面４４を内方に押圧する。この押圧作用により、一対の対向部１４は次第に接近し、一対の対向部１４の間隔が狭まるにつれて、締結部１１は縮径変形する。
【００４３】
締結部１１が縮径変形する当初の段階では、締結部１１の基端部１８がバッテリポストＰに当接し、その周囲には隙間があいている。一対の対向部１４の間隔が狭まるにつれて、締結部１１の左右方向の間隔が狭まっていき、この際、締結部１１は、基端切欠き部２０Ａの形成部位において内側に曲がるように、また中間切欠き部２０Ｂの形成部位において内側に曲がるように変形する。したがって、締結部１１は、図６に示すように、左右方向の間隔が狭まるとともに、全体として開放端部１３が基端部１８側に変位するようにして縮径変形し、筒部４１の内周面の全体がバッテリポストＰに隙間なく密着する。締結部１１は、十分に締め付けられて固定され、バッテリ端子がバッテリポストＰに導通可能に接続される。このとき、図７に示すように、カム板部５０の水平部５１は、対向部１４の上面に当接している。
以上により、バッテリ端子をバッテリポストＰに接続する作業が完了する。
【００４４】
次に、上記のように構成された実施例の作用および効果について説明する。
本実施例のバッテリ端子は、周方向の一部が開放された形態をなす締結部１１と、締結部１１の開放端部１３から径方向の外方に突出して周方向に対向配置された一対の対向部１４と、を有し、一対の対向部１４が接近することで締結部１１が縮径してバッテリポストＰに締め付けられるものであり、締結部１１の厚さ寸法を部分的に小さくする切欠き部２０が設けられている。この構成によれば、切欠き部２０によって締結部１１がバッテリポストＰの外形に沿うように変形しやすくなるから、締結部１１とバッテリポストＰとの間に隙間が生じることを抑制することができる。したがって、締結部１１をバッテリポストＰに全面的に接触させて保持力を高めることができる。また、締結部１１の開放端部１３が変形することを防ぐことができるから、メンテナンス等のためにバッテリ端子をバッテリポストＰに再締結する際に、締結部１１を十分に締め付けることができ、もって保持力が低下することを防ぐことができる。
【００４５】
また、電線が接続される電線接続部１２と、電線接続部１２と締結部１１とを連結する連結部１７と、を有し、切欠き部２０が、締結部１１のうち連結部１７に連なる基端部１８に形成されている。この構成によれば、締結部１１において比較的剛性が高い基端部１８が変形しやすくなるから、締結部１１とバッテリポストＰとの間に隙間が生じることを抑制することができる。
【００４６】
また、切欠き部２０が、基端部１８と開放端部１３との間の中間部に設けられている。この構成によれば、締結部１１の中間部が変形しやすくなるから、締結部１１とバッテリポストＰとの間に隙間が生じることを抑制することができる。
また、切欠き部２０が、締結部１１の外周面側を凹ませたものである。この構成によれば、締結部１１の内周面を、凹凸のない平坦な面とすることができる。
【００４７】
また、開放端部１３と基端部１８とが、締結部１１の中心軸を間にして反対の位置に配されており、切欠き部２０が、開放端部１３と基端部１８との対向方向に対して直交する方向に対称に形成されている。この構成によれば、締結部１１の全体をバランスよく変形しやすくすることができる。
【００４８】
＜実施例２＞
次に、本発明を具体化した実施例２に係るバッテリ端子を図９によって説明する。
本実施例のバッテリ端子は、基端切欠き部２０Ａにおける締結部１１の厚さ寸法Ｔ１が、中間切欠き部２０Ｂにおける締結部１１の厚さ寸法Ｔ２よりも小さくされている点で、実施例１とは相違する。なお、実施例１と同様の構成には同一符号を付して重複する説明を省略する。
【００４９】
本実施例におけるバッテリ端子は、実施例１と同様に、周方向の一部が開放された形態をなす締結部１１と、締結部１１の開放端部１３から径方向の外方に突出して周方向に対向配置された一対の対向部１４と、を有し、一対の対向部１４が接近することで締結部１１が縮径してバッテリポストＰに締め付けられるものであり、締結部１１の厚さ寸法を部分的に小さくする切欠き部２０が設けられている。切欠き部２０は、実施例１と同様、締結部１１のうち連結部１７に連なる基端部１８に形成された基端切欠き部２０Ａと、基端部１８と開放端部１３との間の中間部に形成された中間切欠き部２０Ｂとを有している。
【００５０】
基端切欠き部２０Ａは、実施例１と同様、基端部１８の左右両側に設けられており、各基端切欠き部２０Ａは、前後方向に延びる基端縦縁部２１と、左右方向に延びる基端横縁部２２と、基端縦縁部２１と基端横縁部２２との間に湾曲して連なる基端湾曲縁部２３とを有し、連結部１７の切欠凹部４６の前方に連なって形成されている。
【００５１】
中間切欠き部２０Ｂは、締結部１１の左右両側に一対ずつ設けられている。中間切欠き部２０Ｂは、開放端部１３と基端部１８との間において開放端部１３側に寄った位置と、基端部１８側に寄った位置とに設けられている。各中間切欠き部２０Ｂは、締結部１１の周方向に若干長い方形状をなし、締結部１１の周方向に延びる中間長縁部７１と、径方向に延びる一対の中間短縁部７２とを有している。中間切欠き部２０Ｂの切欠深さ（径方向の寸法）は、基端切欠き部２０Ａの切欠深さよりも小さくされ、また、中間切欠き部２０Ｂの切欠幅（周方向の寸法）は、基端切欠き部２０Ａの切欠幅よりも小さくされている。すべての切欠き部２０は、実施例１と同様、左右方向（開放端部１３と基端部１８との対向方向に対して直交する方向）に対称に形成されている。
【００５２】
基端切欠き部２０Ａにおける締結部１１の厚さ寸法Ｔ１は、中間切欠き部２０Ｂにおける締結部１１の厚さ寸法Ｔ２よりも小さくされている。基端切欠き部２０Ａにおける締結部１１の厚さ寸法Ｔ１は、実施例１と同様、基端湾曲縁部２３から締結部１１の内周面（筒部４１の内周面）までの締結部１１の径方向の寸法であり、中間切欠き部２０Ｂにおける締結部１１の厚さ寸法Ｔ２は、中間長縁部７１から締結部１１の内周面までの締結部１１の径方向の寸法である。
【００５３】
以上のように本実施例においては、実施例１と同様、切欠き部２０によって締結部１１がバッテリポストＰの外形に沿うように変形しやすくなるから、締結部１１とバッテリポストＰとの間に隙間が生じることを抑制することができる。また、基端切欠き部２０Ａにおける締結部１１の厚さ寸法Ｔ１が、中間切欠き部２０Ｂにおける締結部１１の厚さ寸法Ｔ２よりも小さくされているから、締結部１１のうち比較的剛性が高い基端部１８の基端切欠き部２０Ａにおける厚さ寸法を、中間切欠き部２０Ｂにおける厚さ寸法よりも小さくすることで、締結部１１の全体をバランスよく変形しやすくすることができる。
【００５４】
＜他の実施例＞
本発明は上記記述及び図面によって説明した実施例に限定されるものではなく、例えば次のような実施例も本発明の技術的範囲に含まれる。
（１）上記実施例では、締め付け具６０が縦締めされる（一対の対向部１４の対向方向と交差方向に締め付けられる）バッテリ端子を例示しているが、これに限らず、本発明は、締め付け具が横締めされる（一対の対向部の対向方向に締め付けられる）バッテリ端子にも適用することができる。
（２）上記実施例では、端子本体部１０がロア部材３０とアッパ部材４０とを組み付けたものとされているが、これに限らず、本発明は、端子本体部が一枚の金属板材を曲げ加工等して一体に成形されたものにも適用することができる。
（３）上記実施例では、一対の対向部１４、締結部１１、連結部１７および電線接続部１２が直線状に並んだ配置となっているが、これに限らず、本発明は、一対の対向部が、締結部を間にして、連結部および電線接続部と９０度異なる側に位置しているものにも適用することができる。
（４）上記実施例では、切欠き部２０が、基端切欠き部２０Ａと中間切欠き部２０Ｂとを有しているが、これに限らず、例えば図１０に示すように、切欠き部は、基端切欠き部２０Ａのみであっても良い。
（５）上記実施例では、切欠き部２０が、基端切欠き部２０Ａと中間切欠き部２０Ｂとを有しているが、これに限らず、例えば図１１に示すように、切欠き部は、中間切欠き部２０Ｂのみであってもよい。
（６）上記実施例では、中間切欠き部２０Ｂが、締結部１１の左右両側に設けられているが、これに限らず、例えば図１２に示すように、中間切欠き部２０Ｂは、片側のみに設けられていても良い。
（７）上記実施例２では、中間切欠き部２０Ｂが、開放端部１３側に寄った位置と、基端部１８側に寄った位置とに設けられているが、これに限らず、例えば図１３に示すように、中間切欠き部２０Ｂは、基端部１８側に寄った位置のみに設けてもよい。
（８）上記実施例２では、中間切欠き部２０Ｂが、開放端部１３側に寄った位置と、基端部１８に寄った位置とに設けられているが、これに限らず、例えば図１４に示すように、中間切欠き部２０Ｂは、開放端部１３側に寄った位置のみに設けてもよい。
【符号の説明】
【００５５】
Ｐ…バッテリポスト
Ｔ１…基端部に形成された切欠き部における締結部の厚さ寸法
Ｔ２…中間部に形成された切欠き部における締結部の厚さ寸法
１１…締結部
１２…電線接続部
１３…開放端部
１４…対向部
１７…連結部
１８…基端部
２０…切欠き部
２０Ａ…基端切欠き部（基端部に形成された切欠き部）
２０Ｂ中間切欠き部（中間部に形成された切欠き部）
４２…鍔部
【図１】
2017134958.tif 000003
【図２】
2017134958.tif 000004
【図３】
2017134958.tif 000005
【図４】
2017134958.tif 000006
【図５】
2017134958.tif 000007
【図６】
2017134958.tif 000008
【図７】
2017134958.tif 000009
【図８】
2017134958.tif 000010
【図９】
2017134958.tif 000011
【図１０】
2017134958.tif 000012
【図１１】
2017134958.tif 000013
【図１２】
2017134958.tif 000014
【図１３】
2017134958.tif 000015
【図１４】
2017134958.tif 000016